(57)【要約】【課題】従来、映像表示装置においては、その視聴中に目的地に近づいたことに気がつきにくいという問題点が有った。【解決手段】映像を表示する表示部９と、目的地を入力する操作部１と、この操作部１から入力された目的地を記憶するメモリ３と、現在地を検出する位置検出部４と、この位置検出部４にて検出された現在地及び前記メモリ３に記憶されている目的地とを比較し、目的地に近づいたことを検出した場合に前記表示部９での映像の表示を停止させる制御部２、出力制御部８とを具備した。【選択図】  図１
2004233178.tif 000002
【特許請求の範囲】
【請求項１】
映像を表示する表示手段と、目的地を入力する入力手段と、この入力手段から入力された目的地を記憶する記憶手段と、現在地を検出する位置検出手段と、この位置検出手段にて検出された現在地及び前記記憶手段に記憶されている目的地とを比較し目的地に近づいたことを検出した場合、前記表示手段での映像の表示を停止する制御手段とを具備したことを特徴とする映像表示装置。
【請求項２】
請求項１記載の映像表示装置において、前記位置検出手段にて検出された現在地及び前記記憶手段に記憶されている目的地とを比較し目的地から離れていくことを検出した場合、前記表示手段での映像の表示を再開する制御手段とを具備したことを特徴とする映像表示装置。
【請求項３】
請求項１または２記載の映像表示装置において、音声を出力する手段と、前記位置検出手段にて検出された現在地及び前記記憶手段に記憶されている目的地とを比較し目的地に近づいたことを検出した場合、前記音声出力手段からの音声の音量を低下させる音量制御手段とを具備したことを特徴とする映像表示装置。
【請求項４】
目的地を入力する入力手段と、この入力手段から入力された目的地を記憶する記憶手段と、現在地を検出する位置検出手段と、映像を受信する受信手段と、この受信手段で受信された映像を記録する記録手段と、前記受信手段で受信された映像もしくは前記記録手段にて記録された映像を表示する表示手段と、前記位置検出手段にて検出された現在地及び前記記憶手段に記憶された目的地とを比較し目的地に近づいたことを検出した場合、前記表示手段での受信映像の表示を停止させると共に前記記録手段に受信映像の記録を行わせ、前記位置検出手段にて検出された現在地及び前記記憶手段に記憶された目的地とを比較し目的地から離れていくことを検出した場合、前記記録手段にて記録された前記受信映像を再生し前記表示手段に表示させる制御手段とを具備したことを特徴とする映像表示装置。
【請求項５】
目的地を入力する工程と、この入力工程で入力された目的地を記憶する工程と、現在地を検出する位置検出工程と、映像を表示する工程と、前記位置検出工程にて検出された現在地及び前記記憶工程で記憶された目的地とを比較して目的地に近づいたことを検出した場合、映像の表示を停止する工程とを具備したことを特徴とする映像表示方法。
【請求項６】
目的地を入力する工程と、この工程にて入力された目的地を記憶する工程と、現在地を検出する位置検出工程と、映像を受信する工程と、この受信工程で受信された映像を表示する表示工程と、前記位置検出工程にて検出された現在地及び前記記憶工程で記憶された目的地とを比較して目的地に近づいたことを検出した場合、前記表示工程での映像の表示を停止する工程と、同じく前記位置検出工程にて検出された現在地及び前記記憶工程で記憶された目的地とを比較して目的地に近づいたことを検出した場合、前記受信工程で受信された映像の記録を行う工程と、前記位置検出工程にて検出された現在地及び前記記憶工程にて記憶された目的地とを比較して目的地から離れていくことを検出した場合、前記記録工程にて記録された前記受信映像を再生表示する工程とを具備したことを特徴とする映像表示方法。
【発明の詳細な説明】
【０００１】
【発明の属する技術分野】
本発明は、映像表示装置及び映像表示方法に関する。
【０００２】
【従来の技術】
テレビジョン放送や記録媒体に記録されているコンテンツを携帯型のテレビジョン受像機にて様々な場所において視聴したいという要求が存在する。例えば、電車内にて放送番組を液晶テレビにて視聴しようとするものである。この場合、映像を液晶表示装置から、音声をヘッドフォン又はイヤフォンから得る形となるため、乗換駅や下車駅に到着したことに気がつきにくいという問題があった。
【０００３】
一方、従来から、目的地に近づいたことを音や光または振動等を利用してユーザに通知することによって、乗り越しを防止することが出来るようにした通信端末装置が考えられている（例えば特許文献１参照）。しかしながら、この装置は通信端末装置としての乗り越し防止装置であって、テレビジョン受像機の視聴を行っている場合については何ら記載がない。
【０００４】
【特許文献１】
特開２００２−２４７６３６号公報
【０００５】
【発明が解決しようとする課題】
以上述べたように従来の映像表示装置においては、その視聴中に目的地に近づいたことに気がつきにくいという問題点が有った。
【０００６】
本発明はこのような問題点を解決するためになされたもので、その視聴中に目的地に近づいたことを容易に知ることが可能な映像表示装置及び映像表示方法を提供することを目的とする。
【０００７】
【課題を解決するための手段】
請求項１にかかる映像表示装置は、映像を表示する表示手段と、目的地を入力する入力手段と、この入力手段から入力された目的地を記憶する記憶手段と、現在地を検出する位置検出手段と、この位置検出手段にて検出された現在地及び前記記憶手段に記憶されている目的地とを比較し目的地に近づいたことを検出した場合、前記表示手段での映像の表示を停止する制御手段とを具備したことを特徴とするものである。
【０００８】
請求項２にかかる映像表示装置は、請求項１記載の映像表示装置において、前記位置検出手段にて検出された現在地及び前記記憶手段に記憶されている目的地とを比較し目的地から離れていくことを検出した場合、前記表示手段での映像の表示を再開する制御手段とを具備したことを特徴とするものである。
【０００９】
請求項３にかかる映像表示装置は、請求項１または２記載の映像表示装置において、音声を出力する手段と、前記位置検出手段にて検出された現在地及び前記記憶手段に記憶されている目的地とを比較し目的地に近づいたことを検出した場合、前記音声出力手段からの音声の音量を低下させる音量制御手段とを具備したことを特徴とするものである。
【００１０】
請求項４にかかる映像表示装置は、目的地を入力する入力手段と、この入力手段から入力された目的地を記憶する記憶手段と、現在地を検出する位置検出手段と、映像を受信する受信手段と、この受信手段で受信された映像を記録する記録手段と、前記受信手段で受信された映像もしくは前記記録手段にて記録された映像を表示する表示手段と、前記位置検出手段にて検出された現在地及び前記記憶手段に記憶された目的地とを比較し目的地に近づいたことを検出した場合、前記表示手段での受信映像の表示を停止させると共に前記記録手段に受信映像の記録を行わせ、前記位置検出手段にて検出された現在地及び前記記憶手段に記憶された目的地とを比較し目的地から離れていくことを検出した場合、前記記録手段にて記録された前記受信映像を再生し前記表示手段に表示させる制御手段とを具備したことを特徴とするものである。
【００１１】
請求項５にかかる映像表示方法は、目的地を入力する工程と、この入力工程で入力された目的地を記憶する工程と、現在地を検出する位置検出工程と、映像を表示する工程と、前記位置検出工程にて検出された現在地及び前記記憶工程で記憶された目的地とを比較して目的地に近づいたことを検出した場合、映像の表示を停止する工程とを具備したことを特徴とするものである。
【００１２】
請求項６にかかる映像表示方法は、目的地を入力する工程と、この工程にて入力された目的地を記憶する工程と、現在地を検出する位置検出工程と、映像を受信する工程と、この受信工程で受信された映像を表示する表示工程と、前記位置検出工程にて検出された現在地及び前記記憶工程で記憶された目的地とを比較して目的地に近づいたことを検出した場合、前記表示工程での映像の表示を停止する工程と、同じく前記位置検出工程にて検出された現在地及び前記記憶工程で記憶された目的地とを比較して目的地に近づいたことを検出した場合、前記受信工程で受信された映像の記録を行う工程と、前記位置検出工程にて検出された現在地及び前記記憶工程にて記憶された目的地とを比較して目的地から離れていくことを検出した場合、前記記録工程にて記録された前記受信映像を再生表示する工程とを具備したことを特徴とするものである。
【００１３】
【発明の実施の形態】
以下、本発明になる映像表示装置及び映像表示方法の実施の形態について図面を用いて説明する。
【００１４】
図１は、本発明になる映像表示装置の一実施の形態を示すブロック図である。
１は目的地を入力する入力手段である操作部、２は操作部１からの入力を受け付け、目的地をメモリ３に記憶させる他、後述する各種制御を行う制御部である。
制御部３には、現在地を検出するための位置検出部４も接続されており、この位置検出部４にて検出された現在位置情報が入力される。なお、位置検出部４での現在位置検出の方法としては衛星を用いる方法、携帯電話の基地局との通信による方法、電車等の乗り物から位置を示す電波を発すると共にこれを受信する方法等、公知の技術を利用することが出来る。
【００１５】
５はテレビジョン信号の受信部であり、６はこの受信部に接続された記録再生部、７はこの記録再生部６に内蔵もしくは脱着可能に装填された記録媒体、８は受信部５及び記録再生部６からの出力が入力され、いずれか一方の出力を表示部９に出力する出力制御部である。なお、受信部５、記録再生部６、出力制御部８はいずれも制御部２と接続され、この制御部２の制御を受ける。また記録媒体７は、磁気ディスクまたは光ディスク、半導体メモリといった記録媒体を用いることが出来（あるいは複数種類を備えても良い）、表示部９は液晶モニタとするのが好適である。
【００１６】
次に、図１の装置の動作につき説明する。
【００１７】
最初に目的地の入力について説明する。操作部１からの目的地設定開始のキー入力がなされると、制御部２は出力制御部８を介して表示部９に目的地の登録のためのガイド画面を表示する。視聴者はこのガイド画面を見ながら操作部１から目的地を入力する。この入力は、ガイド画面として目的地にかかる地図を表示させ、操作部１の図示せぬカーソルキー等で目的地点を指示させる方法や、あるいは路線図を表示して駅名を指定させたり、もしくは直接駅名を入力させたり等、種々のやり方が考えられる。制御部２では操作部１から入力された目的地をその内部に保持している目的地データベースと照合し、目的地にかかるコード情報をメモリ３に記憶させる。同時に通知エリア（視聴者に通知を行うエリアで、例えば目的地を中心とし所定距離の半径を有する円状エリア）の範囲も記憶させる。
なお、登録される目的地は１カ所とは限らず複数の目的地を登録しても良い。また、通知エリアの範囲は目的地毎に変更するようにしても良い。
【００１８】
次に、記録媒体７に記録されているコンテンツを再生している場合の目的地通知について図２のフローチャートも参照して説明する。最初に操作部１からの再生キー操作の有無が制御部２にてチェックされ（ステップＳ１）、キー操作が有れば、この操作に基づき制御部２は記録再生部６を制御し、記録媒体７に記録されているコンテンツを再生させ、出力制御部８を制御して表示部９に表示させる（ステップＳ２）。一方、制御部２は位置検出部４から定期的に現在地にかかる位置情報を取得し（ステップＳ３）、メモリ３に記憶された目的地点情報との比較によって目的地と現在地との距離を計算する（ステップＳ４）。
【００１９】
ステップＳ５にて距離が減少しつつあると判断された場合（ステップＳ５で「ＹＥＳ」）は、目的地に近づいていると判断され、その値が通知エリアの範囲内になった場合（ステップＳ６で「ＹＥＳ」）、制御部２は記録再生部６を制御して再生を一時停止させる（ステップＳ７）。これにより視聴者は車内案内に注意を払うことが出来、下車駅で確実に降車出来る。よって、乗り過ごしを防止できる。
【００２０】
その後、制御部２は引き続き位置検出部４から定期的に現在地にかかる位置情報を取得し（ステップＳ８）、メモリ３に記憶された目的地点情報との比較によって目的地と現在地との距離を計算する（ステップＳ９）。次にステップＳ１０にて現在地と目的地との距離が増加していることが検出された場合（ステップＳ１０で「ＹＥＳ」）には目的地から離れつつあると判断され、制御部２は記録再生部６を制御して一時停止状態を解除し、再び再生を行う（ステップＳ１１）。
なお、再生開始位置は一時停止の位置からが一般的であるが、少しばかり前に戻って再生を再開するようにしても良い。
【００２１】
次に、受信部５で受信したテレビジョン信号を再生している場合の目的地通知について図３のフローチャートも参照して説明する。最初に操作部１からの選局キー操作の有無がチェックされ（ステップＳ２１）、キー操作が有れば、操作部１からのチャンネル選局操作に基づき制御部２は受信部５を制御して、所望のチャンネルの番組を表示部９に表示させる（ステップＳ２２）。一方、制御部２は位置検出手段４から定期的に現在地にかかる位置情報を取得し（ステップＳ２３）、メモリ３に記憶された目的地点情報と比較することにより目的地と現在地との距離を計算する（ステップＳ２４）。ステップＳ２５にて距離が減少しつつあると判断された場合（ステップＳ２５で「ＹＥＳ」）は、目的地に近づいていると判断され、その値が通知エリアの範囲内になった場合（ステップＳ２６で「ＹＥＳ」）、制御部２は出力制御部８を制御して表示部９での表示を中断させる（ステップＳ２７）と共に、記録再生部６にて受信部５での受信信号を記録媒体７に記録させる（ステップＳ２８）。これにより視聴者は車内案内に注意を払うことが出来、下車駅で確実に降車することが出来、乗り過ごしを防止できる。
【００２２】
その後、制御部２は引き続き位置検出部４から定期的に現在地にかかる位置情報を取得し（ステップＳ２９）、メモリ３に記憶された目的地点情報との比較によって目的地と現在地との距離を計算する（ステップＳ３０）。さらにステップＳ３１で、制御部２にて現在地と目的地との距離が増加していることが検出されたとき（ステップＳ３１で「ＹＥＳ」）には目的地から離れつつあると判断出来、その値が通知エリアの範囲外になった場合、制御部２は記録再生部６を制御して記録媒体に記録されている画像を記録開始時点から再生する（ステップＳ３２）。なお、このとき記録動作を継続して行ないながら再生を行う。一方、上記再生と同時に制御部２は、出力制御部８を制御して表示部９での表示が記録再生部６からの出力を表示するように切り換える。
【００２３】
これによって、テレビジョン放送等のリアルタイム画像については、自動的にタイムシフト再生が行われるように設定することで、見たい番組を見逃すことなく乗り過ごし防止を行うことが出来る。
【００２４】
なお、上記各実施の形態において、出力制御部８に音量制御回路を設け、制御部２にて目的地に近づいたことが検出された場合、制御部２にて上記音量制御回路を制御して徐々に音量を下げるようにしても良い。これにより車内放送を聞き取り易くすることが出来る。また、同様に上記各実施の形態において、制御部２にて目的地に近づいたことを検出した場合、表示部９に目的地に近づいた旨のお知らせガイド画面を表示するようにしても良い。
【００２５】
この発明は上述した各実施の形態に限定されるものではなく、種々の変形が可能であることは言うまでもない。
【００２６】
【発明の効果】
以上説明したように、この発明によれば、その視聴中に目的地に近づいたことを容易に知ることが可能な映像表示装置及び映像表示方法を提供することができる。
【図面の簡単な説明】
【図１】本発明になる映像表示装置の実施の形態の一例を示すブロック図。
【図２】図１の映像表示装置における目的地通知の一例を示すフローチャート。
【図３】図１の映像表示装置における目的地通知の他の一例を示すフローチャート。
【符号の説明】
１：  操作部
２：  制御部
３：  メモリ
４：  位置検出部
５：  受信部
６：  記録再生部
７：  記録媒体
８：  出力制御部
９：  表示部
【図１】
2004233178.tif 000003
【図２】
2004233178.tif 000004
【図３】
2004233178.tif 000005